(57)【要約】【課題】ブラインドを構成するスラットに対して、自由な装飾を施すことが可能なブライド用スラットの構造を得る。【解決手段】可撓性樹脂で構成される長尺状樹脂片２を長尺方向に沿って中央の折曲部３で折曲し第１の樹脂片部１０と第２の樹脂片部２０を形成し、両片を重ね合わせることでブラインド用のスラット１を構成し、前記長尺状樹脂片２の第２の樹脂片部２０を透明とし、前記第１の樹脂片部１０と第２の樹脂片部２０との間に、一方の面に接着剤３１が塗布されたシール部材（平面状装飾物）３０を挟持して成る。【選択図】    図１
0003111845.tif 000002
【実用新案登録請求の範囲】
【請求項１】
可撓性樹脂で構成される長尺状樹脂片を長尺方向に沿って中央で折曲し第１の樹脂片部と第２の樹脂片部を形成し、両片を重ね合わせることでブラインド用のスラットを構成する一方、
前記長尺状樹脂片の第２の樹脂片部を透明とし、
前記第１の樹脂片部と第２の樹脂片部との間に平面状装飾物を挟持して成ることを特徴とするブラインド用スラット。
【請求項２】
平面状装飾物は一方の面に接着剤が塗布されたシールである請求項１に記載のブラインド用スラット。
【請求項３】
平面状装飾物はその表面に文字が書き込まれた短冊体である請求項１に記載のブラインド用スラット。
【請求項４】
平面状装飾物はその表面に分割画像が印刷された短冊体であり、ブラインドを構成する複数のスリットに配置された複数の前記短冊体により一つの画像を形成する請求項１に記載のブラインド用スラット。
【考案の詳細な説明】
【技術分野】
【０００１】  本考案は、窓や扉に対して、遮光、減光、目隠し等を目的として装着されるブラインドに使用されるスラットに関する。
【背景技術】
【０００２】  窓に対して遮光等を目的として利用される横型ブラインド５０は、例えば図４に示すように、多数の長尺状のスラット５３が水平状態で連結されて構成され、各スラット５３の傾斜角度を同時に変化させる操作を行うことにより、窓側からの入射光を制限して室内の明るさを調節するものである。【０００３】  上記の横型ブラインド５０の構造について説明すると、ヘッドボックス５１からラダーコード５２を介して多数段のスラット５３が吊下支持され、ラダーコード５２下端にはボトムレール５４が吊下して支持されている。【０００４】  スラット５３を昇降操作するための２本の昇降コード５５は、各スラット５３に貫通して配置され、その一端がボトムレール５４に接続されている。前記昇降コード５５の他端は、ヘッドボックス５１内にその一側を配置し、このヘッドボックス５１の一側に設けられたコードストッパ５６を経てヘッドボックス５１外へ垂下され、コードイコライザ５７に接続されている。【０００５】  前記コードイコライザ５７には操作コード５８の一端が接続され、この操作コード５８の他端は前記ボトムレール５４に接続されている。前記コードストッパ５６は固定ローラと可動ローラとで昇降コード５５を挟み付けて操作コード５８の不操作時におけるボトムレール５４及びスラット５３の重量による昇降コード５５のヘッドボックス５１内への引き込みを防止するようになっている。【０００６】  上記構成によれば、操作コード５８を操作して昇降コード５５をヘッドボックス５１から引き出せば、ボトムレール５４が引き上げられて同ボトムレール５４により下段のスラット５３から順次引き上げられ、ボトムレール５４及びスラット５３の重量を利用して昇降コード５５をヘッドボックス５１内に引き込ませればボトムレール５４が下降して上段のスラット５３からラダーコード５２に支持される状態となる。【０００７】  ヘッドボックス５１の一側には昇降コード５５に隣接して操作棒５９が垂下され、その操作棒５９を回転操作することによりヘッドボックス５１内の角度調節軸（図示しない）及びラダーコード５２を介して各スラット５３の角度調節が可能なように構成されている。【０００８】  上記のようなブラインドにおける各スラット５３は、遮光目的のため光に対して非透過性を有する樹脂等で構成されている。また、壁面等の色にコーディネイトさせて装飾効果を得るため、スラット５３は各種の色が選択可能なようになっている。
【考案の開示】
【考案が解決しようとする課題】
【０００９】  しかしながら上述した構造のブラインドによれば、ブラインドの色や柄はブラインドの購入時に決定され、購入者自らがスラットに自由な装飾を施したりすることができないという欠点があった。【００１０】  本考案は上記実情に鑑みてなされたもので、ブラインドを構成するスラットに対して、自由な装飾を施すことが可能なブライド用スラットの構造を提供することを目的としている。
【課題を解決するための手段】
【００１１】  上記目的を達成するため請求項１のブラインド用スラット１は、可撓性樹脂で構成される長尺状樹脂片２を長尺方向に沿って中央の折曲部３で折曲し第１の樹脂片部１０と第２の樹脂片部２０を形成し、両片を重ね合わせることでブラインド用のスラット１を構成する。
そして、前記長尺状樹脂片２の第２の樹脂片部２０を透明とし、前記第１の樹脂片部１０と第２の樹脂片部２０との間に平面状装飾物３０を挟持して成ることを特徴としている。【００１２】  請求項２のブラインド用スラットは、請求項１において、平面状装飾物は一方の面に接着剤が塗布されたシールであることを特徴としている。【００１３】  請求項３のブラインド用スラットは、請求項１において、平面状装飾物はその表面に文字が書き込まれた短冊体であることを特徴としている。【００１４】  請求項４のブラインド用スラットは、請求項１において、平面状装飾物はその表面に分割画像が印刷された短冊体であり、ブラインドを構成する複数のスリットに配置された複数の前記短冊体により一つの画像を形成することを特徴としている。
【考案の効果】
【００１５】  本考案によれば、ブラインド用スラットの第１の樹脂片部と第２の樹脂片部との間に平面状装飾物を挟持し、平面装飾物が透明の第２の樹脂部を介してスラット外側から観察可能とすることで、スラットに自由な装飾を施すことができる。
また、平面装飾物は容易に取り替えることができるので、季節に応じて趣きを変化させる等、装飾効果の高いブラインドとすることができる。
【考案を実施するための最良の形態】
【００１６】  本考案の実施の形態の一例としてのブラインド用スラットについて説明する。
このブラインド用スラットは、図４で示した通常構造の横型ブラインド５０のスラット５３と使用されるものである。
本考案のスラット１は、図１に示すように、可撓性樹脂で構成される長尺状樹脂片２を長尺方向に沿って中央の折曲部３で二つ折りに折曲し、第１の樹脂片部１０と第２の樹脂片部２０を形成している。そして、一体的に形成された第１の樹脂片部１０と第２の樹脂片部２０を重ね合わせることでブラインド用のスラット１を構成している。
長尺状樹脂片２の第１の樹脂片部１０は光を遮断可能な色で構成され、第２の樹脂片部２０は透明としている。【００１７】  第１の樹脂片部１０に、裏面に接着剤３１が塗布された複数のシール部材（平面状装飾物）３０を適宜箇所に貼着することで、第１の樹脂片部１０と第２の樹脂片部２０との間に平面状装飾物３０を挟持させることができるとともに、第２の樹脂片部２０が透明に構成されているので、シール部材３０を外側から観ることができる。
また、スラット１の長手方向の両端部分（又は適宜位置）における樹脂片部１０と樹脂片部２０との間に、必要に応じて両面テープや接着剤等を介在させることで、スラット１の折曲部３と反対（開口）側の辺が開かないようにしてもよい。【００１８】  スラット１をブラインドに装着するに際しては、折曲部３が下側に位置するようにすることで、シール部材３０の接着剤３１の接着機能が無くなった場合においても、シール部材３０がスラット１から脱落することを防止できる。
すなわち、図２（ａ）（ｂ）に示すように、各スラット１を略垂直に傾斜させて遮光状態とした場合に、折曲部３が下方に位置して第２の樹脂片部２０側が室内側を臨んだ状態で第１の樹脂片部１０が窓側を臨むようにブラインド側に装着されるようになっている。【００１９】  シール部材３０は、例えば任意の形状に各種花柄がプリントされたものであるとか、好みの写真等の画像が印刷されている。平面状装飾物３０としてのシール部材は、紙（フィルム）媒体に印刷されたもののみならず、平面形状を維持できる押し花のようなものであってもよい。
したがって、各種シール部材３０を選択して第１の樹脂片部１０に貼着することで、オリジナルな模様がスラット１に描かれたブラインドとすることができる。
また、シール部材３０は透明部材である第２の樹脂片部２０で覆われているので、シール部材３０に直接汚れが付くのを防止し、第２の樹脂片部２０に付いた汚れを拭き取るだけでスラット１を新品状態に容易に回復させることができる。【００２０】  平面装飾物３０の他の例としては、図３に示すように、その表面に文字３４が書き込まれた短冊体３３で構成してもよい。短冊体３３には文字が書き込めるので、詩や歌詞等を表記することができる。この場合、短冊体３３はスラット１全体の面積（第１の樹脂片部１０の面積）に略等しくなるように構成することで挟持状態でのずれの発生が少なくなるので、短冊体３３の裏面に第１の樹脂片部１０に固定するための接着剤の塗布を必要としない。また、接着剤を塗布しないことにより、より容易に短冊体３３を取り替えることが可能となる。【００２１】  また、平面状装飾物について、その表面に分割画像が印刷された各短冊体で構成することにより、ブラインドを構成する複数のスリットに配置された複数の短冊体全体で一つの画像を構成するようにしてもよい。
この場合においても、各短冊体はスラット全体の面積（第１の樹脂片部の面積）に略等しくなるように構成することで裏面に接着剤の塗布を必要とせず、短冊体を取り替えることで季節や好みに応じた画像に容易に取り替えることが可能となる。
【図面の簡単な説明】
【００２２】
【図１】本考案のブラインド用スラットの一例を示す斜視説明図である。
【図２】（ａ）は本考案のブラインド用スラットを使用したブラインドにおいて遮光状態にした場合のスラット部分の一部を示す正面説明図（室内側から観た図）、（ｂ）は本考案のブラインド用スラットを使用したブラインドにおいて遮光状態にした場合のスラット部分の一部を示す裏面説明図（外側から観た）である。  スラット
【図３】（ａ）は本考案のブラインド用スラットを使用したブラインドにおいて遮光状態にした場合のスラット部分の一部を示す正面説明図（室内側から観た図）、（ｂ）は平面状装飾物の他例を示す正面説明図である。
【図４】横型ブラインドの全体構成を示す平面説明図である。
【符号の説明】
【００２３】  １  スラット
２  長尺状樹脂片
３  折曲部
１０  第１の樹脂片部
２０  第２の樹脂片部（透明）
３０  シール部材（平面状装飾物）
３１  接着剤
３３  短冊体（平面状装飾物）
３４  文字
５０  横型ブラインド
５３  スラット
【図１】
0003111845.tif 000003
【図２】
0003111845.tif 000004
【図３】
0003111845.tif 000005
【図４】
0003111845.tif 000006